【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
乗りかごと釣合重りとを懸架する吊りロープをシーブに巻きかけ、このシーブを駆動装置によって駆動することにより前記乗りかごを昇降させるエレベータにあって、
前記駆動装置の運転ができない時、前記乗りかごの天井に重りを載置して乗りかごを最寄りの救出階まで降下させることを特徴とするエレベータの乗客救出方法。
【請求項２】
乗りかごの天井と当該乗りかごの上方に位置するエレベータ出入口との距離が離れている時、ロープ状の用品を用いて前記重りを前記乗りかごの天井に載置することを特徴とする請求項１に記載のエレベータの乗客救出方法。
【請求項３】
前記重りは、砂袋、水タンクまたは鎖を用いることを特徴とする請求項１または２に記載のエレベータの乗客救出方法。
【請求項４】
前記ロープ状の用品をかける部分に段差を設けた重りを用いることを特徴とする請求項２に記載のエレベータの乗客救出方法。
【請求項５】
乗りかごと釣合重りとを懸架する吊りロープをシーブに巻きかけ、このシーブを駆動装置によって駆動することにより前記乗りかごを昇降させるエレベータにあって、
前記駆動装置の運転ができない時、前記乗りかごの底部に重りを吊り下げて乗りかごを最寄りの救出階まで降下させることを特徴とするエレベータの乗客救出方法。
【請求項６】
乗りかごと釣合重りとを懸架する吊りロープをシーブに巻きかけ、このシーブを駆動装置によって駆動することにより前記乗りかごを昇降させるエレベータにあって、
前記駆動装置の運転ができない時、前記乗りかごの底部と前記釣合重りの底部との間にロープを懸架し、このロープの前記乗りかご側に荷重が加わる位置に重りを吊り下げて当該乗りかごを最寄りの救出階まで降下させることを特徴とするエレベータの乗客救出方法。
【請求項７】
前記ロープの前記乗りかご側に荷重が加わる位置の複数箇所にフックを設け、これらフックのうちいずれかに前記重りを引っかけることを特徴とする請求項６に記載のエレベータの乗客救出方法。
【請求項８】
乗りかごと釣合重りとを懸架する吊りロープをシーブに巻きかけ、このシーブを駆動装置によって駆動することにより前記乗りかごを昇降させるエレベータにあって、前記駆動装置の運転ができない時、前記乗りかごの底部と前記釣合重りの底部との間に鎖を懸架し、この鎖の前記乗りかご側に荷重が加わる位置に重りを吊り下げて当該乗りかごを最寄りの救出階まで降下させることを特徴とするエレベータの乗客救出方法。
【請求項９】
前記駆動装置は、昇降路の空きスペースに配置されていることを特徴とする請求項１、５、６、８のいずれかに記載のエレベータの乗客救出方法。
【請求項１０】
前記駆動装置は、昇降路の頂部の昇降路壁と乗りかごの投影面との隙間に配置されていることを特徴とする請求項１、５、６、８のいずれかに記載のエレベータの乗客救出方法。
【請求項１１】
最寄りの救出階まで前記乗りかごを降下させる時、前記駆動装置に設けられているブレーキを断続的に開放することで動作させることを特徴とする請求項１、５、６、８のいずれかに記載のエレベータの乗客救出方法。
【手続補正２】
【補正対象書類名】明細書
【補正対象項目名】０００９
【補正方法】変更
【補正の内容】
【０００９】
【課題を解決するための手段】
請求項１の発明のエレベータの乗客救出方法は、乗りかごと釣合重りとを懸架する吊りロープをシーブに巻きかけ、このシーブを駆動装置によって駆動することにより前記乗りかごを昇降させるエレベータにあって、前記駆動装置の運転ができない時、前記乗りかごの天井に重りを載置して乗りかごを最寄りの救出階まで降下させるものである。
【手続補正３】
【補正対象書類名】明細書
【補正対象項目名】００１０
【補正方法】変更
【補正の内容】
【００１０】
請求項２の発明のエレベータの乗客救出方法は、請求項１において、乗りかごの天井と当該乗りかごの上方に位置するエレベータ出入口との距離が離れている時、ロープ状の用品を用いて前記重りを前記乗りかごの天井に載置するものである。
【手続補正４】
【補正対象書類名】明細書
【補正対象項目名】００１１
【補正方法】変更
【補正の内容】
【００１１】
請求項３の発明のエレベータの乗客救出方法は、請求項１又は請求項２において、前記重りは、砂袋、水タンクまたは鎖を用いるものである。
【手続補正５】
【補正対象書類名】明細書
【補正対象項目名】００１２
【補正方法】変更
【補正の内容】
【００１２】
請求項４の発明のエレベータの乗客救出方法は、請求項２において、前記ロープ状の用品をかける部分に段差を設けた重りを用いるものである。
【手続補正６】
【補正対象書類名】明細書
【補正対象項目名】００１３
【補正方法】変更
【補正の内容】
【００１３】
請求項５の発明のエレベータの乗客救出方法は、乗りかごと釣合重りとを懸架する吊りロープをシーブに巻きかけ、このシーブを駆動装置によって駆動することにより前記乗りかごを昇降させるエレベータにあって、前記駆動装置の運転ができない時、前記乗りかごの底部に重りを吊り下げて乗りかごを最寄りの救出階まで降下させるものである。
【手続補正７】
【補正対象書類名】明細書
【補正対象項目名】００１４
【補正方法】変更
【補正の内容】
【００１４】
請求項６の発明のエレベータの乗客救出方法は、乗りかごと釣合重りとを懸架する吊りロープをシーブに巻きかけ、このシーブを駆動装置によって駆動することにより前記乗りかごを昇降させるエレベータにあって、前記駆動装置の運転ができない時、前記乗りかごの底部と前記釣合重りの底部との間にロープを懸架し、このロープの前記乗りかご側に荷重が加わる位置に重りを吊り下げて当該乗りかごを最寄りの救出階まで降下させるものである。
【手続補正８】
【補正対象書類名】明細書
【補正対象項目名】００１５
【補正方法】変更
【補正の内容】
【００１５】
請求項７の発明のエレベータの乗客救出方法は、請求項６において、前記ロープの前記乗りかご側に荷重が加わる位置の複数箇所にフックを設け、これらフックのうちいずれかに前記重りを引っかけるものである。
【手続補正９】
【補正対象書類名】明細書
【補正対象項目名】００１６
【補正方法】変更
【補正の内容】
【００１６】
請求項８の発明のエレベータの乗客救出方法は、乗りかごと釣合重りとを懸架する吊りロープをシーブに巻きかけ、このシーブを駆動装置によって駆動することにより前記乗りかごを昇降させるエレベータにあって、前記駆動装置の運転ができない時、前記乗りかごの底部と前記釣合重りの底部との間に鎖を懸架し、この鎖の前記乗りかご側に荷重が加わる位置に重りを吊り下げて当該乗りかごを最寄りの救出階まで降下させるものである。
【手続補正１０】
【補正対象書類名】明細書
【補正対象項目名】００１７
【補正方法】変更
【補正の内容】
【００１７】
請求項９の発明のエレベータの乗客救出方法は、請求項１、５、６、８において、前記駆動装置は、昇降路の空きスペースに配置されているものである。
請求項１０の発明のエレベータの乗客救出方法は、請求項１、５、６、８において、前記駆動装置は、昇降路の頂部の昇降路壁と乗りかごの投影面との隙間に配置されているものである。
【手続補正１１】
【補正対象書類名】明細書
【補正対象項目名】００１８
【補正方法】変更
【補正の内容】
【００１８】
請求項１１の発明のエレベータの乗客救出方法は、請求項１、５、６、８において、最寄りの救出階まで前記乗りかごを降下させる時、前記駆動装置に設けられているブレーキを断続的に開放することで動作させるものである。
【手続補正１２】
【補正対象書類名】明細書
【補正対象項目名】００４７
【補正方法】変更
【補正の内容】
【００４７】
請求項３の発明によれば、重り設置の際に作業者の支えなければならない荷重が小さいため、より安全に救出作業を行うことができる。また、重りを誤って落下させても乗りかごや他の部材に損傷を与える恐れがない。
【手続補正１３】
【補正対象書類名】明細書
【補正対象項目名】００４８
【補正方法】変更
【補正の内容】
【００４８】
請求項４の発明によれば、重り設置の際に使用するロープを使い回すことができ、回収作業を容易に、かつ安全に行うことができる。
【手続補正１４】
【補正対象書類名】明細書
【補正対象項目名】００４９
【補正方法】変更
【補正の内容】
【００４９】
請求項５〜８の発明によれば、駆動装置が停電あるいは故障により運転できなくなり、しかも乗りかご側の重量と釣合重り側の重量とが等しくなっている場合においても、ブレーキを断続的に開放し、乗りかごを最寄り階出入口まで下降させることにより、確実に乗客を救出することができる。また、重りを設置する際に重りを落下させても、重りがかご上にぶつかることがないために、安全に乗客を救出することができる。
【手続補正１５】
【補正対象書類名】明細書
【補正対象項目名】００５０
【補正方法】変更
【補正の内容】
【００５０】
請求項９及び１０の発明によれば、機械室を不要にしたエレベータにおいて、駆動装置が停電あるいは故障により運転できなくなり、しかも乗りかご側の重量と釣合重り側の重量が等しくなっている場合においても、ブレーキを断続的に開放し、乗りかごを最寄り階出入口まで下降させることにより、確実に乗客を救出することができる。
【手続補正１６】
【補正対象書類名】明細書
【補正対象項目名】００５１
【補正方法】変更
【補正の内容】
【００５１】
請求項１１の発明によれば、駆動装置が停電あるいは故障により運転できなくなり、しかも乗りかご側の重量と釣合重り側の重量とが等しくなっている場合においても、確実に乗客を救出することができる。